【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
原画を形成する画像形成素子と、
第1方向に配列された複数のレンズ部を有する第１インテグレータおよび前記複数のレンズ部にそれぞれ対応した複数のレンズ部を有する第２インテグレータを含み、前記光源からの光束を複数に分割して該複数の分割光束を前記画像形成素子に重畳させて照射する照明光学系と、
前記画像形成素子からの光束を被投射面に投射する投射光学系とを有し、
前記投射光学系の光軸が、前記照明光学系の光軸および前記画像形成素子の中心に対して前記第1方向にシフトしており、
前記第１インテグレータの各レンズ部における少なくとも２点から射出して該レンズ部に対応する前記第２インテグレータのレンズ部の中心を通る光線が、互いに非平行となって前記画像形成素子に入射することを特徴とする投射型表示光学系。
【請求項２】
前記光線が発散しながら前記被照射面に入射することを特徴とする請求項１に記載の表示光学系。
【請求項３】
前記第１インテグレータの複数のレンズ部は前記第1方向に１次元配列され、前記複数のレンズ部各々は、前記第1方向に対して直交する方向に延びる母線を有するシリンドリカルレンズであり、
前記第２インテグレータの複数のレンズ部は前記第１方向に１次元配列され、前記複数のレンズ部各々は、前記第1方向に対して直交する方向に延びる母線を有するシリンドリカルレンズであることを特徴とする請求項１又は２に記載の投射型表示光学系。
【請求項４】
原画を形成する画像形成素子と、
第1方向に配列された複数のレンズ部を有する第１インテグレータおよび前記複数のレンズ部にそれぞれ対応した複数のレンズ部を有する第２インテグレータを含み、光源からの光束を複数に分割して該複数の分割光束を前記画像形成素子に重畳させて照射する照明光学系と、
前記画像形成素子からの光束を被投射面に投射する投射光学系とを有し、
前記投射光学系の光軸が、前記照明光学系の光軸および前記画像形成素子の中心に対して前記第1方向の一方の側にシフトしており、
前記第１インテグレータにおいて前記照明光学系の光軸に対して前記第1方向にて対称な位置に配置された一対のレンズ部をそれぞれ第１および第２レンズ部とし、
該第１レンズ部から射出して該第１レンズ部に対応する前記第２インテグレータのレンズ部の中心を通り前記画像形成素子における中心よりも前記第1方向の他方の側にある照明点に至る光線を第１の光線とし、
前記第２レンズ部から射出して該第２レンズ部に対応する前記第２インテグレータのレンズ部の中心を通り前記画像形成素子の前記照明点に至る光線を第２の光線とするとき、
前記第１の光線と前記第２の光線とのなす角度の二等分線が、前記照明光学系の光軸に対して傾いていることを特徴とする投射型表示光学系。
【請求項５】
前記二等分線は、前記照明光学系側から前記画像形成素子に近づくほど前記照明光学系の光軸から離れていることを特徴とする請求項４に記載の投射型表示光学系。
【請求項６】
前記第１インテグレータの複数のレンズ部は前記第1方向に１次元配列され、前記複数のレンズ部各々は、前記第1方向に対して直交する方向に延びる母線を有するシリンドリカルレンズであり、
前記第２インテグレータの複数のレンズ部は前記第１方向に１次元配列され、前記複数のレンズ部各々は、前記第1方向に対して直交する方向に延びる母線を有するシリンドリカルレンズであることを特徴とする請求項４又は５に記載の投射型表示光学系。
【請求項７】
前記光源と、
請求項１から６のいずれか１つに記載の投射型表示光学系と、
前記画像形成素子を駆動する駆動回路とを含むことを特徴とする投射型画像表示装置。
【請求項８】
原画を形成する画像形成素子と、
第1方向に配列された複数のレンズ部を有する第１インテグレータおよび前記複数のレンズ部にそれぞれ対応した複数のレンズ部を有する第２光学インテグレータを含み、光源からの光束を複数に分割して該複数の分割光束を前記画像形成素子に重畳させて照射する照明光学系と、
前記画像形成素子からの光束を被投射面に投射する投射光学系とを有し、
前記投射光学系の光軸が、前記照明光学系の光軸および前記画像形成素子の中心に対して前記第1方向にシフトしており、
前記投射光学系の入射瞳が、前記画像形成素子よりも前記投射光学系側の有限位置にあり、かつ以下の条件を満足することを特徴とする投射型表示光学系。
０＜｜ｙ｜／｜Ｌｐｒｊ｜＜０．１５
ここで、ｙは前記画像形成素子上での中心からの高さであり、Ｌｐｒｊは前記画像形成素子から前記投射光学系の入射瞳位置までの距離である。
【請求項９】
前記レンズ部は、前記第1方向に対して直交する方向に延びる母線を有するシリンドリカルレンズであることを特徴とする請求項８に記載の投射型表示光学系。
【請求項１０】
前記光源と、
請求項８又は９に記載の投射型表示光学系と、
前記画像形成素子を駆動する駆動回路とを含むことを特徴とする投射型画像表示装置。
【手続補正２】
【補正対象書類名】明細書
【補正対象項目名】００１３
【補正方法】変更
【補正の内容】
【００１３】
上記の目的を達成するために、本発明の投射型表示光学系の第１の形態は、原画を形成する画像形成素子と、第１方向（所定方向）に配列された複数のレンズ部を有する第１インテグレータおよび該複数のレンズ部にそれぞれ対応した複数のレンズ部を有する第２インテグレータを含み、光源からの光束を複数に分割して該複数の分割光束を画像形成素子に重畳させて照射する照明光学系と、画像形成素子からの光束を被投射面に投射する投射光学系とを有する。投射光学系の光軸は、照明光学系の光軸および画像形成素子の中心に対して上記第１方向にシフトしている。そして、第１インテグレータの各レンズ部における少なくとも２点から射出して該レンズ部に対応する第２インテグレータのレンズ部の中心を通る光線が、互いに非平行となって（例えば、拡散して）画像形成素子に入射する。
【手続補正３】
【補正対象書類名】明細書
【補正対象項目名】００１４
【補正方法】変更
【補正の内容】
【００１４】
また、本発明の投射型表示光学系の第２の形態は、原画を形成する画像形成素子と、第1方向（所定方向）に配列された複数のレンズ部を有する第１インテグレータおよび該複数のレンズ部にそれぞれ対応した複数のレンズ部を有する第２インテグレータを含み、光源からの光束を複数に分割して該複数の分割光束を画像形成素子に重畳させて照射する照明光学系と、画像形成素子からの光束を被投射面に投射する投射光学系とを有する。投射光学系の光軸は、照明光学系の光軸および画像形成素子の中心に対して上記第1方向の一方の側にシフトしている。そして、第１インテグレータにおいて照明光学系の光軸に対して上記第1方向にて対称な位置に配置された一対のレンズ部をそれぞれ第１および第２レンズ部とし、該第１レンズ部から射出して該第１レンズ部に対応する第２インテグレータのレンズ部の中心を通り画像形成素子における中心よりも上記第1方向の他方の側にある照明点に至る光線を第１の光線とし、第２レンズ部から射出して該第２レンズ部に対応する第２インテグレータのレンズ部の中心を通り画像形成素子の上記照明点に至る光線を第２の光線とするとき、第１の光線と第２の光線とのなす角度の二等分線が、照明光学系の光軸に対して傾いている（例えば、照明光学系側から画像形成素子に近づくほど照明光学系の光軸から離れる）いる。
【手続補正４】
【補正対象書類名】明細書
【補正対象項目名】００１５
【補正方法】変更
【補正の内容】
【００１５】
また、本発明の投射型表示光学系の第３の形態は、原画を形成する画像形成素子と、第１方向（所定方向）に配列された複数のレンズ部を有する第１インテグレータおよび該複数のレンズ部にそれぞれ対応した複数のレンズ部を有する第２光学インテグレータを含み、光源からの光束を複数に分割して該複数の分割光束を画像形成素子に重畳させて照射する照明光学系と、画像形成素子からの光束を被投射面に投射する投射光学系とを有する。投射光学系の光軸は、照明光学系の光軸および画像形成素子の中心に対して上記第1方向にシフトしている。そして、投射光学系の入射瞳が、画像形成素子よりも投射光学系側の有限位置にあり、かつ以下の条件を満足する。